【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
輸送中などに衝撃荷重を受けるデスクトップ画像関連装置用のエンクロージャ構造体であって、複数個のサイドカバーと、前記画像関連装置の主シャーシ要素と、前記各カバーを前記主シャーシ要素に取付けるための取付け手段とを備え、前記取付け手段が前記各サイドカバーと前記主シャーシ要素の間で前記衝撃荷重を全方向へ伝達する伝達手段を具備し、前記伝達手段は前記主シャーシ要素の一部が前記各サイドカバーへ嵌合する緊密嵌合を備えていることを特徴とするエンクロージャ構造体。
【請求項２】
前記伝達手段は更に前記各サイドカバー及びベースに夫々一体的に形成され、前記各サイドカバーと前記ベースを緊密嵌合させるため、相互に係合する補足的保持手段を備えていることを特徴とする請求項１に記載のエンクロージャ構造体。
【請求項３】
前記主シャーシ要素は成形された金属薄板であり、前記ベースが複数個のリムを有し、前記伝達手段の緊密嵌合が前記ベースの前記各リムを受容するスロットを備えていることを特徴とする請求項２に記載のエンクロージャ構造体。
【請求項４】
構造体の機能を備えていない構成要素を具備する画像関連装置に用いるエンクロージャ構造体であって、前記伝達手段が更に前記構成要素を前記サイドカバーの１つに固定する手段と、前記構成要素を前記ベースに固定し、前記ベースと前記サイドカバーの１つとの間で前記構成要素を介して衝撃荷重を伝達する手段を具備することを特徴とする請求項３に記載のエンクロージャ構造体。
【請求項５】
前記各サイドカバーが複心曲線を形成する面を有する薄いプラスティックに複合形状として一体的に成形されることを特徴とする請求項３に記載のエンクロージャ構造体。
【請求項６】
画像関連装置内の少なくとも一方のサイドカバーの内面に近接して配設された組立体を備えた画像関連装置に用いるエンクロージャ構造体であって、前記エンクロージャ構造体が更に前記組立体を支持する他の主シャーシ要素と、前記各サイドカバーを前記組立体シャーシに取付ける手段とを備え、
前記取付け手段は少なくとも前記一方のサイドカバーと前記他の主シャーシ要素との間で衝撃荷重に対し選択的に結合する付加的手段を備え、前記付加的手段が前記他の主シャーシ要素と前記サイドカバーとの間で前記サイドカバーのノッチの略接線方向の衝撃荷重は伝達し、前記サイドカバーのノッチに略直角な衝撃荷重は前記他の主シャーシ要素と前記サイドカバーとの間で衝撃荷重の伝達を吸収する手段を有することを特徴とする請求項１に記載のエンクロージャ構造体。
【請求項７】
前記付加的伝達手段は自由度１の滑合であることを特徴とする請求項６に記載のエンクロージャ構造体。
【請求項８】
特定の方向の傾斜に対して小さな剛性を有する第２のシャーシ要素と、前記各サイドカバーを前記第２のシャーシ要素に取付け、前記各サイドカバーが前記特定の方向に撓むと、前記第２のシャーシが前記特定の方向に傾斜する取付け手段と、前記カバーの撓みを制限して前記第２のシャーシ要素を保護する手段とを有することを特徴とする請求項１に記載のエンクロージャ構造体。
【請求項９】
輸送中等に機械的衝撃荷重を受けるデスクトップ画像関連装置のエンクロージャ構造体であって、複数個のサイドカバーと、主構造組立体と、前記各サイドカバー及び前記主構造組立体に一体的に形成された、前記サイドカバーを前記主構造組立体に取付ける取付け手段とを備え、前記取付け手段が前記サイドカバーと前記主構造組立体との間で少なくとも運動の自由度４を吸収する結合手段を有することを特徴とするエンクロージャ構造体。
【請求項１０】
輸送中等に機械的衝撃荷重を受けるデスクトップ画像関連装置のエンクロージャ構造体であって、複数個のサイドカバーと、第１の主シャーシ要素と、前記サイドカバーを前記第１の主シャーシ要素に取付けて前記カバーと前記第１のシャーシ要素との間の衝撃荷重を全方向に伝達する手段を備えた第１の手段と、前記画像関連装置内に配設されて前記少なくとも一方のサイドカバーの内面に近接する第２の主シャーシ要素と、前記少なくとも一方のサイドカバーを前記第２のシャーシ要素に取付けるための第２の取付け手段とを備え、前記第２の取付け手段は、前記第２のシャーシ要素と前記少なくとも一方のサイドカバーの間の衝撃荷重を方向によって選択的に結合させる手段を有することを特徴とするエンクロージャ構造体。
【手続補正２】
【補正対象書類名】明細書
【補正対象項目名】００４１
【補正方法】変更
【補正の内容】
【００４１】
図示されているように、前記各リブ18, 28と前記床部18’, 28’と協動して輪郭付けられたネストを形成する。浅く先端を曲げられたリム32（図26〜図32及び図35）と前記ベース31が前記輪郭付けられたネスト18,28 , 18’, 28’に緊密に嵌入する。前記各ネストの形態は前記サイドカバー11, 21内における前記ベース31の位置を自由度３に関して極めて強制的に限定する。前記自由度３とは、前後方向及び横方向（左右）の並進運動並びに垂直軸を中心とする回転運動である。
【手続補正３】
【補正対象書類名】明細書
【補正対象項目名】００４２
【補正方法】変更
【補正の内容】
【００４２】
更に、前記各サイドカバー11, 21の後方隅部内に前記床部18’, 28’の少し上方に、部分的な周辺プラスティック保持フランジ又はリミッタ10，20（図54）が一体的に形成される。前記各コーナリミッタ10，20は各対応するサイドカバーの前記床部18’，28’と協動して横方向の溝又はスロットを画成する。前記ベース31の前記後方隅部の前記先端を曲げられたリム32は前記スロットに可成り強固に嵌入される。従って、前記リミッタ10, 20及び前記床部18’, 28’は協動して前記ベース31の前記リム32を垂直方向に極めて強固に拘束する。更に、前記左サイドカバー11の前記外側壁13のみに附加的リミッタ10’（図54）が一体的にに形成される。組み立て後、前記リミッタ10’は前記電気音響スピーカ34’ (図33, 図34）を保持する前記格子取付部34’の上方に位置決めされる。
【手続補正４】
【補正対象書類名】明細書
【補正対象項目名】００４４
【補正方法】変更
【補正の内容】
【００４４】
更に、前記リミッタ10, 10’, 20と前記床部18’, 28’は前後方向の水平軸を中心とする回転運動を拘束する。しかしながら、この拘束だけでは完全ものにならない。前記リミッタ10, 10’, 20と前記床部18’, 28’によって単に拘束される前記ベース31は、前記前後方向の水平軸を中心にして僅かに回転する自由度が残される。従って、ここではこの特定の拘束を「自由度0.5 」を吸収するものと仮称する。前記前後方向の水平軸を中心とする回転を確実な拘束を与えるために、スナップファスナ14, 33（右サイドカバーでは24, 33）が附加される。前記ファスナは前記床部18’, 28’から直立する一体成形されて鋭く頸部14”を付けたプラスティックボス14（図54）を具備する。
【手続補正５】
【補正対象書類名】明細書
【補正対象項目名】００４９
【補正方法】変更
【補正の内容】
【００４９】
残存する自由度１、即ち前後方向の並進運動について、図58において、前記各ウェブ15，25の前記前方端部は中間面43に載置するようになることが示されている。しかしながら、実際には前記ボス45が前記ノッチ15’, 25’の前方端部に接触しないような図57に示すような部品の寸法及び位置が好ましい。特に、４〜７mm（0.2 〜0.3 インチ）程度のすきまを設けることが好ましい。かかるすきまは50倍の重力加速度(50G) の衝撃に対応して前記サイドカバーの前記各前方隅部の内方への撓みを吸収するように選択される。
【手続補正６】
【補正対象書類名】明細書
【補正対象項目名】００５４
【補正方法】変更
【補正の内容】
【００５４】
組み立て時に、前記各ボス16, 26は前記媒体シャーシ61の関連する側壁63に設けられた各嵌合円筒状リセプタクル66（図36〜図42）内に挿通される。特に、前記各リセプタクル66は前記媒体シャーシ61の上部前方隅部の外側に位置する。前記各ボス16, 26は前記リセプタクル66に挿設された後、前記ねじ66”によって所定の位置に固定される。前記各ねじ66”は図59のリセプタクル66の平坦な左側のベースに見られる同じ隅部の内側にある締着穴66’に挿通され、前記円筒状ボス16, 26の前記軸方向の穴16’に螺着される。
【手続補正７】
【補正対象書類名】明細書
【補正対象項目名】００５９
【補正方法】変更
【補正の内容】
【００５９】
前記関連する外側壁13, 23から内側に横方向に延伸する各円筒状のボス17, 27（図11, 図23及び図61〜図63）が前記各サイドカバー11, 21の内側面に形成される。前記ボス17, 27は前記プリンタシャーシ51の高剛性のアングル形横ビーム57〜59（図３，図48〜図53及び図61〜図63）に横方向に係合するように整列されている。特に、前記金属薄板プリンタシャーシ51は略垂直な壁59から長い水平タブ58（図３及び図48〜図53）を内側に折り曲げることによって形成された長い折り曲げ隅部57（図52）を有する。前記ボス17，27の中心線CLは前記長い高剛性の折り曲げ隅部57に沿って芯出しされる。